(57)【要約】【課題】給電アタッチメントにおいて、ドライバユニットをも含めた構成をコンパクトで簡易な構成とすることを可能とする。【解決手段】絶縁部材４６に埋設された５つのバスバー３２、３４、３６、３８、４０の露出部分によって、発光ダイオード２２と電気的に接続される第１端子部３８ｂ、４０ｃと、これを点灯制御するためのドライバユニット５０と電気的に接続される第２端子部３２ｃ、３４ｃ、３６ａ、３８ａ、４０ｂと、外部電源と電気的に接続される第３端子部３２ｂ、３４ｂとを構成するようにする。そして、この給電アタッチメント３０を、発光ダイオード２２、ドライバユニット５０および外部電源と電気的に接続することにより、従来のようにワイヤハーネス等を用いて給電アタッチメントとドライバユニットとを繋ぐことを必要とせずに、発光ダイオード２２に給電するだけでなくその点灯制御を行うことを可能とする。【選択図】図２
2016139514.tif 000002
【特許請求の範囲】
【請求項１】
発光素子に電力を供給するための給電アタッチメントであって、複数のバスバーが該バスバーの一部を露出させた状態で絶縁部材に埋設されてなる給電アタッチメントにおいて、
上記複数のバスバーにおける上記絶縁部材からの露出部分によって、上記発光素子と電気的に接続される第１端子部と、上記発光素子を点灯制御するためのドライバユニットと電気的に接続される第２端子部と、外部電源と電気的に接続される第３端子部とが構成されている、ことを特徴とする給電アタッチメント。
【請求項２】
上記複数のバスバーにおける上記絶縁部材からの露出部分によって、上記発光素子への供給電流の値を設定するための抵抗と電気的に接続される第４端子部と、温度ディレーティング用のサーミスタと電気的に接続される第５端子部とのうちの少なくともいずれか一方が構成されている、ことを特徴とする請求項１記載の給電アタッチメント。
【請求項３】
請求項１または２記載の発光素子および給電アタッチメントがヒートシンクに組み付けられてなる光源モジュールであって、
上記ドライバユニットは、ユニット本体とこのユニット本体から延びるリード部とを備えており、上記リード部において上記第２端子部と電気的に接続された状態で上記ユニット本体において上記ヒートシンクに固定されている、ことを特徴とする光源モジュール。
【請求項４】
上記複数のバスバーは、接地電位となるべき部分が接地端子部として上記絶縁部材から露出しており、
上記給電アタッチメントは、上記接地端子部において上記ヒートシンクにネジ締めされている、ことを特徴とする請求項３記載の光源モジュール。
【請求項５】
上記リード部は、上記第２端子部に溶接されており、
上記ユニット本体は、上記ヒートシンクにネジ締めされている、ことを特徴とする請求項３または４記載の光源モジュール。
【請求項６】
請求項３〜５いずれか記載の光源モジュールを備えた車両用灯具であって、
上記光源モジュールに、上記発光素子からの出射光を制御する光学部材が取り付けられている、ことを特徴とする車両用灯具。
【発明の詳細な説明】
【技術分野】
【０００１】
本願発明は、発光素子に電力を供給するための給電アタッチメントならびに該給電アタッチメントを備えた光源モジュールおよび車両用灯具に関するものである。
【背景技術】
【０００２】
従来より、例えば「特許文献１」に記載されているように、発光ダイオード等の発光素子に電力を供給するための給電アタッチメントとして、複数のバスバーがその一部を露出させた状態で絶縁部材に埋設された構成のものが知られている。
【０００３】
この「特許文献１」に記載された給電アタッチメントにおいては、複数のバスバーにおける絶縁部材からの露出部分によって、発光素子と電気的に接続される端子部と電源側の端子部とが構成されている。
【先行技術文献】
【特許文献】
【０００４】
【特許文献１】特開２０１４−１９７５５０号公報
【発明の概要】
【発明が解決しようとする課題】
【０００５】
上記「特許文献１」に記載されているような給電アタッチメントを使用する場合には、発光素子を点灯制御するためのドライバユニットが別途必要となる。
【０００６】
すなわち、上記「特許文献１」に記載された給電アタッチメントにおいては、その電源側の端子部をドライバユニットと電気的に接続した状態で、このドライバユニットを介して発光素子に電力を供給することが必要となる。したがって、ワイヤハーネス等を用いて給電アタッチメントとドライバユニットとを繋ぐ必要がある。このため、給電アタッチメントおよびドライバユニット全体としては、その占有スペースが大きくなってしまい、かつその構成が複雑なものとなってしまう。
【０００７】
本願発明は、このような事情に鑑みてなされたものであって、発光素子に電力を供給するための給電アタッチメントにおいて、ドライバユニットをも含めた構成をコンパクトで簡易な構成とすることができる給電アタッチメントを提供すること、ならびに該給電アタッチメントを備えた光源モジュールおよび車両用灯具を提供することを目的とするものである。
【課題を解決するための手段】
【０００８】
本願発明は、給電アタッチメントの構成として、ドライバユニットと電気的に接続される端子部が追加配置された構成とすることにより、上記目的達成を図るようにしたものである。
【０００９】
すなわち、本願発明に係る給電アタッチメントは、
発光素子に電力を供給するための給電アタッチメントであって、複数のバスバーが該バスバーの一部を露出させた状態で絶縁部材に埋設されてなる給電アタッチメントにおいて、
上記複数のバスバーにおける上記絶縁部材からの露出部分によって、上記発光素子と電気的に接続される第１端子部と、上記発光素子を点灯制御するためのドライバユニットと電気的に接続される第２端子部と、外部電源と電気的に接続される第３端子部とが構成されている、ことを特徴とするものである。
【００１０】
上記「絶縁部材」の種類は特に限定されるものではなく、例えば樹脂製の部材やセラミックス製の部材等が採用可能である。
【００１１】
上記「発光素子」の種類は特に限定されるものではなく、例えば発光ダイオードやレーザダイオード等が採用可能である。
【００１２】
上記「第１端子部」、「第２端子部」および「第３端子部」の具体的な位置関係は特に限定されるものではない。
【発明の効果】
【００１３】
上記構成に示すように、本願発明に係る給電アタッチメントは、絶縁部材に埋設された複数のバスバーにおける絶縁部材からの露出部分によって、発光素子と電気的に接続される第１端子部と、発光素子を点灯制御するためのドライバユニットと電気的に接続される第２端子部と、外部電源と電気的に接続される第３端子部とが構成されているので、次のような作用効果を得ることができる。
【００１４】
すなわち、本願発明に係る給電アタッチメントを、その第１端子部において発光素子と電気的に接続するとともに、その第２端子部においてドライバユニットと電気的に接続した上で、その第３端子部において外部電源と電気的に接続することにより、発光素子に給電するだけでなくその点灯制御を行うことが可能となる。
【００１５】
したがって、従来のようにワイヤハーネス等を用いて給電アタッチメントとドライバユニットとを繋ぐ必要をなくすことができる。そしてこれにより、給電アタッチメントおよびドライバユニット全体として、その占有スペースを小さくすることができ、かつその構成を簡素化することができる。
【００１６】
このように本願発明によれば、発光素子に電力を供給するための給電アタッチメントにおいて、ドライバユニットをも含めた構成をコンパクトで簡易な構成とすることができる。
【００１７】
上記構成において、複数のバスバーにおける絶縁部材からの露出部分によって、第１〜第３端子部以外に、発光素子への供給電流の値を設定するための抵抗と電気的に接続される第４端子部と、温度ディレーティング用のサーミスタと電気的に接続される第５端子部とのうちの少なくともいずれか一方が構成されたものとすれば、次のような作用効果を得ることができる。
【００１８】
すなわち、抵抗および／またはサーミスタの機能をドライバユニットに持たせることも可能であるが、ドライバユニットとは別に給電アタッチメントに取り付けられる構成とすることにより、供給電流および／または温度ディレーティングの設定値を適宜変更することが容易に可能となる。
【００１９】
上記発光素子および上記給電アタッチメントをヒートシンクに組み付けることによって光源モジュールを構成するようにした場合において、そのドライバユニットの構成として、ユニット本体とこのユニット本体から延びるリード部とを備えた構成とした上で、そのリード部において第２端子部と電気的に接続された状態で、そのユニット本体においてヒートシンクに固定された構成とすれば、ドライバユニットからヒートシンクへの放熱を効率良く行うことができる。
【００２０】
また、この光源モジュールにおいて、複数のバスバーを、その接地電位となるべき部分が接地端子部として絶縁部材から露出した構成とした上で、給電アタッチメントがこの接地端子部においてヒートシンクにネジ締めされた構成とすれば、給電アタッチメントをヒートシンクに組み付けることによってノイズ対策を図ることが可能となる。
【００２１】
さらに、この光源モジュールにおいて、ドライバユニットの構成として、そのリード部が第２端子部に溶接されるとともに、そのユニット本体がヒートシンクにネジ締めされた構成とすれば、次のような作用効果を得ることができる。
【００２２】
すなわち、給電アタッチメントのヒートシンクへの組付けを、該給電アタッチメントに予めドライバユニットが取り付けられた状態で行うことができ、これにより組付作業性を向上させることができる。また、溶接によって、リード部と第２端子部との電気的な接続を確実に行うことができる。さらに、ネジ締めによって、ドライバユニットからヒートシンクへの放熱を確実に行うことができる。
【００２３】
その際、上記「溶接」の具体的な方法は特に限定されるものではなく、例えば、電流を印加する抵抗溶接、レーザ光を照射するレーザ溶接、超音波振動により金属表面同士を分子的に結合させる溶接等が採用可能である。
【００２４】
このような光源モジュールを備えた車両用灯具の構成として、光源モジュールに、発光素子からの出射光を制御する光学部材（例えばリフレクタやシェードや投影レンズ等）が取り付けられた構成とすれば、車両用灯具の部品点数を少なくすることができる。その際、上記「車両用灯具」の種類は特に限定されるものではなく、例えばヘッドランプやコーナリングランプやフォグランプ等が採用可能である。
【図面の簡単な説明】
【００２５】
【図１】本願発明の一実施形態に係る光源モジュールを示す斜視図
【図２】上記光源モジュールを示す平面図
【図３】上記光源モジュールを主要構成要素に分解して示す分解斜視図
【図４】上記光源モジュールの回路構成を示す図
【図５】上記光源モジュールにおける給電アタッチメントの構成要素である複数のバスバーを示す平面図
【図６】上記実施形態の変形例を示す、図１と同様の図
【図７】上記変形例に係る光源モジュールを備えた車両用灯具を示す側断面図
【発明を実施するための形態】
【００２６】
以下、図面を用いて、本願発明の実施の形態について説明する。
【００２７】
図１は、本願発明の一実施形態に係る光源モジュール１０を示す斜視図であり、図２は、その平面図である。また、図３は、この光源モジュール１０を主要構成要素に分解して示す分解斜視図ある。さらに、図４は、光源モジュール１０の回路構成を示す図である。
【００２８】
なお、以下においては便宜上、図１において、Ｘで示す方向を「前方」、Ｙで示す方向を「右方向」として説明する。
【００２９】
これらの図に示すように、本実施形態に係る光源モジュール１０は、光源ユニット２０と、給電アタッチメント３０と、ドライバユニット５０と、抵抗６２およびサーミスタ６４と、ヒートシンク７０とを備えた構成となっている。
【００３０】
この光源モジュール１０は、光源ユニット２０が所定位置に載置されたヒートシンク７０に対して、抵抗６２およびサーミスタ６４ならびにドライバユニット５０が予め取り付けられた給電アタッチメント３０を載置してネジ締めすることにより、その組付けが行われるようになっている。
【００３１】
まず、光源ユニット２０の構成について説明する。
【００３２】
この光源ユニット２０は、発光素子としての発光ダイオード２２が、平面視において横長（すなわち左右方向に長い）矩形状の外形形状を有する板状の光源支持基板２４の上面に支持された構成となっている。
【００３３】
発光ダイオード２２は、横長矩形状の発光面２２ａを有する２つの発光チップが左右方向に並んだ状態で、横長矩形状の外形形状を有する基板に支持された構成となっている。
【００３４】
光源支持部材２４は、発光ダイオード２２と電気的に接続された１対の端子部２４ａを備えている。これら１対の端子部２４ａは、光源支持部材２４の上面における発光ダイオード２２の左右両側の位置において、前後方向に帯状に延びるように形成されている。
【００３５】
次に、給電アタッチメント３０の構成について説明する。
【００３６】
この給電アタッチメント３０は、発光ダイオード２２に電力を供給するための部材であって、５つのバスバー３２、３４、３６、３８、４０が前後１対の押え片４２、４４と共に、その一部を露出させた状態で絶縁部材４６に埋設された構成となっている。
【００３７】
この給電アタッチメント３０は、インサート成形品として構成されている。すなわち、絶縁部材４６は樹脂製部材として構成されており、５つのバスバー３２、３４、３６、３８、４０および前後１対の押え片４２、４４は、いずれも金属製部材として構成されている。そして、５つのバスバー３２、３４、３６、３８、４０および前後１対の押え片４２、４４をインサートとして、絶縁部材４６を射出成形することによって、給電アタッチメント３０が形成されるようになっている。
【００３８】
具体的には、この給電アタッチメント３０は、一枚の帯状の金属板からプレス加工で「型抜き」および「曲げ」を行うことにより、５つのバスバー３２、３４、３６、３８、４０および前後１対の押え片４２、４４が「橋渡し部分」を介して一体化された集合体を形成し、この集合体をインサートとして絶縁部材４６を射出成形した後、この集合体を絶縁部材４６から露出した「橋渡し部分」において切断することにより形成されるようになっている。
【００３９】
絶縁部材４６は、板状の部材であって、平面視において縦長（すなわち前後方向に長い）矩形状の外形形状を有しているが、その前端面の左右方向略中央部には、前方へ向けて矩形状に突出する筒状のコネクタ部４６ａが形成されている。
【００４０】
この絶縁部材４６の３箇所には、該絶縁部材４６を上下方向に貫通する矩形状の開口部４６ｂ、４６ｃ、４６ｄが形成されている。後述するように、光源ユニット２０、ドライバユニット５０、抵抗６２およびサーミスタ６４は、これら３つの開口部４６ｂ、４６ｃ、４６ｄにそれぞれ配置されるようになっている。
【００４１】
開口部４６ｂは、絶縁部材４６の後端面寄りの左右方向中央部に位置している。この開口部４６ｂは、光源ユニット２０よりもひとまわり大きい横長矩形状の開口形状を有している。
【００４２】
開口部４６ｃは、絶縁部材４６の右端面寄りの前後方向略中央部に位置している。この開口部４６ｃは、ドライバユニット５０よりもひとまわり大きい横長矩形状の開口形状を有している。この開口部４６ｃの上端部における前後両端縁および右端縁の部分には面取りが施されている。
【００４３】
開口部４６ｄは、絶縁部材４６の左端面寄りでかつ前端面寄りに位置している。この開口部４６ｄは、前後方向に細長く延びる縦長矩形状の開口形状を有している。
【００４４】
絶縁部材４６の四隅には、該絶縁部材４６を上下方向に貫通するネジ挿通孔４６ｅがそれぞれ形成されている。
【００４５】
図５は、５つのバスバー３２、３４、３６、３８、４０および前後１対の押え片４２、４４を、これらが配置されている位置関係のまま示す平面図である。
【００４６】
同図にも示すように、バスバー３２は、絶縁部材４６の前部右寄りの位置において前後方向に延びるようにして配置されている。このバスバー３２は、前後方向の中間部位に段下がり部３２ａが形成された構成となっている。
【００４７】
このバスバー３２の前端部は細幅で形成されており、その一部がコネクタ部４６ａの上部内周面に露出している。そして、この露出部分によって、外部電源（図示せず）と電気的に接続される第３端子部３２ｂが構成されている。一方、このバスバー３２の後端部は細幅で形成されており、その一部が開口部４６ｃに露出している。そして、この露出部分によって、ドライバユニット５０と電気的に接続される第２端子部３２ｃが構成されている。
【００４８】
バスバー３４は、バスバー３２の左側において前後方向に延びるようにして配置されている。このバスバー３４は、前後方向の中間部位に段下がり部３４ａが形成された構成となっている。
【００４９】
このバスバー３４の前端部は細幅で形成されており、その一部がコネクタ部４６ａの上部内周面に露出している。そして、この露出部分によって、上記外部電源と電気的に接続される第３端子部３４ｂが構成されている。一方、このバスバー３４の後端部は、その一部が開口部４６ｃに露出している。そして、この露出部分によって、ドライバユニット５０と電気的に接続される第２端子部３４ｃが構成されている。
【００５０】
このバスバー３４における段下がり部３４ａおよびその前後両側に隣接する部分は、左側に張り出すようにして広幅に形成されており、その一部が開口部４６ｄに露出している。そして、この露出部分によって、抵抗６２と電気的に接続される第４端子部３４ｄおよびサーミスタ６４と電気的に接続される第５端子部３４ｅが構成されている。これら第４および第５端子部３４ｄ、３４ｅは、段下がり部３４ａの後方側において左右方向に間隔をおいて配置されている。
【００５１】
このバスバー３４の段下がり部３４ａは、接地電位となるべき接地端子部として構成されている（これについては後述する）。この段下がり部３４ａには、該バスバー３４を上下方向に貫通するネジ挿通孔３４ｆが形成されている。
【００５２】
バスバー３６は、バスバー３４の後方側において左右方向に延びるようにして配置されている。このバスバー３６の右端部は、細幅で形成されており、その一部が開口部４６ｃに露出している。そして、この露出部分によって、ドライバユニット５０と電気的に接続される第２端子部３６ａが構成されている。一方、このバスバー３６の左端部は、その一部が開口部４６ｄに露出している。そして、この露出部分によって、サーミスタ６４と電気的に接続される第５端子部３６ｂが構成されている。
【００５３】
バスバー３８は、絶縁部材４６の後部右寄りの位置において前後方向に延びるようにして配置されている。
【００５４】
このバスバー３８の前端部は、その一部が開口部４６ｃに露出している。そして、この露出部分によって、ドライバユニット５０と電気的に接続される第２端子部３８ａが構成されている。一方、このバスバー３８の後端部は、その一部が開口部４６ｂに露出している。そして、この露出部分によって、発光ダイオード２２と電気的に接続される第１端子部３８ｂが構成されている。この第１端子部３８ｂは、上向きに略アーチ状に湾曲した状態で左方向へ向けて延びる４つの細片が前後方向に並んで配置された構成となっている。
【００５５】
バスバー４０は、絶縁部材４６の後部左寄りの位置において前後方向に延びるようにして配置されている。このバスバー４０は、その前端近傍部位から右方向に張り出して延びるように形成されている。
【００５６】
このバスバー４０の前端部は、その一部が開口部４６ｄに露出している。そして、この露出部分によって、抵抗６２と電気的に接続される第４端子部４０ａが構成されている。また、このバスバー４０の前端近傍部位から右方向に張り出した部分は、その一部が開口部４６ｃに露出している。そして、この露出部分によって、ドライバユニット５０と電気的に接続される第２端子部４０ｂが構成されている。一方、このバスバー４０の後端部は、その一部が開口部４６ｂに露出している。そして、この露出部分によって、発光ダイオード２２と電気的に接続される第１端子部４０ｃが構成されている。この第１端子部４０ｃは、上向きに略アーチ状に湾曲した状態で右方向へ向けて延びる４つの細片が前後方向に並んで配置された構成となっている。
【００５７】
前後１対の押え片４２、４４は、開口部４６ｂの前後両側の位置において左右方向に延びるようにして配置されている。これら各押え片４２、４４は、開口部４６ｂへ向けて斜め下方に湾曲して延びる左右１対の突起部４２ａ、４４ａを備えている。
【００５８】
次に、ドライバユニット５０の構成について説明する。
【００５９】
このドライバユニット５０は、発光ダイオード２２の点灯制御を行うための駆動回路が内蔵されたユニット本体５２と、このユニット本体５２から延びる５つのリード部５４Ａ、５４Ｂ、５４Ｃ、５４Ｄ、５４Ｅとを備えた構成となっている。
【００６０】
ユニット本体５２は、平面視において略正方形の外形形状を有している。このユニット本体５２の右端面の近傍部位には、該ユニット本体５２を上下方向に貫通するネジ挿通孔５２ａが形成されている。
【００６１】
５つのリード部５４Ａ、５４Ｂ、５４Ｃ、５４Ｄ、５４Ｅは、ユニット本体５２の左端面から左方向へ突出するようにして形成されている。その際、これら５つのリード部５４Ａ、５４Ｂ、５４Ｃ、５４Ｄ、５４Ｅは、同一水平面上において前後方向に等間隔をおいて配置されている。また、これら５つのリード部５４Ａ、５４Ｂ、５４Ｃ、５４Ｄ、５４Ｅは、前から２番目と４番目のリード部５４Ｂ、５４Ｄが長く、それ以外のリード部５４Ａ、５４Ｃ、５４Ｅが短く形成されている。
【００６２】
このドライバユニット５０は、その５つのリード部５４Ａ、５４Ｂ、５４Ｃ、５４Ｄ、５４Ｅにおいて、５つのバスバー３２、３４、３６、４０、３８の第２端子部３２ｃ、３４ｃ、３６ａ、４０ｂ、３８ａとそれぞれ電気的に接続されている。これらの接続は、いずれもスポット溶接によって行われている。
【００６３】
次に、抵抗６２およびサーミスタ６４の構成について説明する。
【００６４】
これら抵抗６２およびサーミスタ６４は、開口部４６ｄの内部において左右並列の位置関係で、いずれも前後方向に延びるようにして配置されている。
【００６５】
抵抗６２は、その前後両端部においてバスバー３４、４０の第４端子部３４ｄ、４０ａと電気的に接続されている。サーミスタ６４は、その前後両端部においてバスバー３４、３６の第５端子部３４ｅ、３６ｂと電気的に接続されている。これらの接続は、いずれもスポット溶接によって行われている。
【００６６】
次に、ヒートシンク７０の構成について説明する。
【００６７】
このヒートシンク７０は、金属製の部材であって、平面視において絶縁部材４６のコネクタ部４６ａを除いた部分と略同一サイズの縦長矩形状の外形形状を有している。
【００６８】
このヒートシンク７０の下部には、前後方向に延びる複数の放熱フィン７０ａが形成されている。このヒートシンク７０の上面の四隅には、絶縁部材４６に形成されたネジ挿通孔４６ｅと対応する位置にネジ穴７０ｂがそれぞれ形成されている。また、このヒートシンク７０の上面には、バスバー３４に形成されたネジ挿通孔３４ｆと対応する位置にもネジ穴７０ｃが形成されており、ドライバユニット５０のユニット本体５２に形成されたネジ挿通孔５２ａと対応する位置にもネジ穴７０ｄが形成されている。
【００６９】
このヒートシンク７０の上面には、ドライバユニット５０のユニット本体５２と対応する位置に、伝熱シート７２が貼付されている。この伝熱シート７２には、ネジ穴７０ｄと対応する位置にネジ挿通孔７２ａが形成されている。また、このヒートシンク７０の上面には、光源ユニット２０と対応する位置に、他の部分よりも一段高い段上がり部７０ｅが形成されている。
【００７０】
次に、光源モジュール１０の組付工程について説明する。
【００７１】
まず、抵抗６２およびサーミスタ６４を給電アタッチメント３０に取り付けるとともに、ドライバユニット５０を給電アタッチメント３０に取り付ける。
【００７２】
抵抗６２の取付けは、抵抗６２の前後両端部をバスバー３４、４０の第４端子部３４ｄ、４０ａにスポット溶接することにより行う。また、サーミスタ６４の取付けは、サーミスタ６４の前後両端部をバスバー３４、３６の第５端子部３４ｅ、３６ｂにスポット溶接することにより行う。この取付けにより、抵抗６２およびサーミスタ６４は絶縁部材４６の開口部４６ｄに収容された状態となる。
【００７３】
ドライバユニット５０の取付けは、その各リード部５４Ａ、５４Ｂ、５４Ｃ、５４Ｄ、５４Ｅを、各バスバー３２、３４、３６、４０、３８の第２端子部３２ｃ、３４ｃ、３６ａ、４０ｂ、３８ａにスポット溶接することにより行う。この取付けにより、ドライバユニット５０は絶縁部材４６の開口部４６ｃに収容された状態となる。
【００７４】
一方、ヒートシンク７０の上面に伝熱シート７２を貼付するとともに、ヒートシンク７０の上面の段上がり部７０ｅに光源ユニット２０を載置する。
【００７５】
次に、給電アタッチメント３０をヒートシンク７０の上面に載置し、その絶縁部材４６の開口部４６ｂに光源ユニット２０が収容されるようにする。
【００７６】
このとき、前後１対の押え片４２、４４の各突起部４２ａ、４４ａが光源支持部材２４の上面に当接して弾性変形し、これにより光源ユニット２０がヒートシンク７０の上面に押し付けられる。
【００７７】
またこのとき、バスバー３８、４０の第１端子部３８ｂ、４０ｃが、その先端部において光源支持部材２４の左右１対の端子部２４ａ、２４ａにぞれぞれ当接して、これらと電気的に接続される。
【００７８】
一方このとき、ドライバユニット５０は、そのユニット本体５２が伝熱シート７２に載置された状態となる。
【００７９】
この状態で、絶縁部材４６の四隅に形成されたネジ挿通孔４６ｅの各々にスクリュウ７４を挿入してヒートシンク７０のネジ穴７０ｂに締め付けることにより、給電アタッチメント３０をヒートシンク７０に固定する。また、バスバー３４に形成されたネジ挿通孔３４ｆにスクリュウ７６を挿入してヒートシンク７０のネジ穴７０ｃに締め付けることにより、バスバー３４をヒートシンク７０と電気的に接続して、バスバー３４を接地電位とする。さらに、ユニット本体５２のネジ挿通孔５２ａにスクリュウ７８を挿入して伝熱シート７２のネジ挿通孔７２ａを介してヒートシンク７０のネジ穴７０ｄに締め付けることにより、ユニット本体５２を伝熱シート７２を介してヒートシンク７０に密着させた状態でヒートシンク７０に固定する。
【００８０】
次に本実施形態の作用について説明する。
【００８１】
以上詳述したように、本実施形態に係る給電アタッチメント３０は、絶縁部材４６に埋設された５つのバスバー３２、３４、３６、３８、４０における絶縁部材４６からの露出部分によって、発光素子としての発光ダイオード２２と電気的に接続される第１端子部３８ｂ、４０ｃと、発光ダイオード２２を点灯制御するためのドライバユニット５０と電気的に接続される第２端子部３２ｃ、３４ｃ、３６ａ、３８ａ、４０ｂと、外部電源と電気的に接続される第３端子部３２ｂ、３４ｂとが構成されているので、次のような作用効果を得ることができる。
【００８２】
すなわち、本実施形態に係る給電アタッチメント３０を、その第１端子部３８ｂ、４０ｃにおいて発光ダイオード２２と電気的に接続するとともに、その第２端子部３２ｃ、３４ｃ、３６ａ、３８ａ、４０ｂにおいてドライバユニット５０と電気的に接続した上で、その第３端子部３２ｂ、３４ｂにおいて外部電源と電気的に接続することにより、発光ダイオード２２に給電するだけでなくその点灯制御を行うことが可能となる。
【００８３】
したがって、従来のようにワイヤハーネス等を用いて給電アタッチメントとドライバユニットとを繋ぐ必要をなくすことができる。そしてこれにより、給電アタッチメント３０およびドライバユニット５０全体として、その占有スペースを小さくすることができ、かつその構成を簡素化することができる。
【００８４】
このように本実施形態によれば、発光ダイオード２２に電力を供給するための給電アタッチメント３０において、ドライバユニット５０をも含めた構成をコンパクトで簡易な構成とすることができる。
【００８５】
しかも本実施形態においては、５つのバスバー３２、３４、３６、３８、４０における絶縁部材４６からの露出部分によって、第１端子部３８ｂ、４０ｃ、第２端子部３２ｃ、３４ｃ、３６ａ、３８ａ、４０ｂおよび第３端子部３２ｂ、３４ｂ以外に、発光ダイオード２２への供給電流の値を設定するための抵抗６２と電気的に接続される第４端子部３４ｄ、４０ａと、温度ディレーティング用のサーミスタ６４と電気的に接続される第５端子部３４ｅ、３６ｂとが構成されているので、次のような作用効果を得ることができる。
【００８６】
すなわち、このように抵抗６２およびサーミスタ６４がドライバユニット５０とは別に給電アタッチメント３０に取り付けられる構成とすることにより、供給電流および温度ディレーティングの設定値を適宜変更することが容易に可能となる。
【００８７】
本実施形態に係る光源モジュール１０は、光源ユニット２０および給電アタッチメント３０がヒートシンク７０に組み付けられた構成となっているが、ドライバユニット５０は、ユニット本体５２とこのユニット本体５２から延びるリード部５４Ａ、５４Ｂ、５４Ｃ、５４Ｄ、５４Ｅとを備えており、そのリード部５４Ａ、５４Ｂ、５４Ｃ、５４Ｄ、５４Ｅにおいて第２端子部３２ｃ、３４ｃ、３６ａ、４０ｂ、３８ａと電気的に接続された状態で、そのユニット本体５２においてヒートシンク７０に固定されているので、ドライバユニット５０からヒートシンク７０への放熱を効率良く行うことができる。
【００８８】
また、この光源モジュール１０において、給電アタッチメント３０はバスバー３４の段下がり部３４ａにおいてヒートシンク７０にネジ締めされているので、このバスバー３４は接地電位となる。このバスバー３４はドライバユニット５０のリード部５４Ｂと電気的に接続されているので、ネジ締めによってドライバユニット５０に対する電磁シールド効果を得ることができ、これによりノイズ対策を図ることができる。
【００８９】
さらに、この光源モジュール１０のドライバユニット５０は、そのリード部５４Ａ、５４Ｂ、５４Ｃ、５４Ｄ、５４Ｅが第２端子部３２ｃ、３４ｃ、３６ａ、４０ｂ、３８ａにスポット溶接されるとともに、そのユニット本体５２がヒートシンク７０にネジ締めされているので、次のような作用効果を得ることができる。
【００９０】
すなわち、給電アタッチメント３０のヒートシンク７０への組付けを、該給電アタッチメント３０に予めドライバユニット５０が取り付けられた状態で行うことができ、これにより組付作業性を向上させることができる。また、スポット溶接によって、各リード部５４Ａ、５４Ｂ、５４Ｃ、５４Ｄ、５４Ｅと各第２端子部３２ｃ、３４ｃ、３６ａ、４０ｂ、３８ａとの電気的な接続を確実に行うことができる。さらに、ネジ締めによって、ドライバユニット５０からヒートシンク７０への放熱を確実に行うことができる。
【００９１】
しかも本実施形態においては、ユニット本体５２が伝熱シート７２を介してヒートシンク７０に密着した状態でヒートシンク７０に固定されているので、ヒートシンク７０への放熱を効率良く行うことができる。
【００９２】
上記実施形態においては、ドライバユニット５０の各リード部５４Ａ、５４Ｂ、５４Ｃ、５４Ｄ、５４Ｅと各バスバー３２、３４、３６、４０、３８の第２端子部３２ｃ、３４ｃ、３６ａ、４０ｂ、３８ａとの溶接がスポット溶接によって行われているものとして説明したが、これ以外の溶接方法を採用することも可能である。
【００９３】
上記実施形態においては、絶縁部材４６に５つのバスバー３２、３４、３６、３８、４０が埋設されているものとして説明したが、６つ以上あるいは４つ以下のバスバーが埋設された構成とすることも可能である。
【００９４】
上記実施形態においては、給電アタッチメント３０がインサート成形によって形成されるものとして説明したが、これ以外の成形方法（例えばアウトサート成形やフープ成形等）で一体成形加工を行うことにより給電アタッチメント３０を形成することも可能である。
【００９５】
次に、上記実施形態の変形例について説明する。
【００９６】
図６は、本変形例に係る光源モジュール１１０を示す、図１と同様の図である。
【００９７】
同図に示すように、本変形例の基本的な構成は上記実施形態の場合と同様であるが、本変形例においては給電アタッチメント１３０の構成が上記実施形態の場合と一部異なっている。
【００９８】
すなわち、上記実施形態の給電アタッチメント３０は、その絶縁部材４６のコネクタ部４６ａが該絶縁部材４６の前端面から前方へ向けて突出しているが、本変形例の給電アタッチメント１３０は、その絶縁部材１４６のコネクタ部１４６ａが該絶縁部材１４６の右端面の前端近傍部位から右方向へ向けて突出している。
【００９９】
これに伴い、本変形例においては、上記実施形態のバスバー３２、３４の第３端子部３２ｂ、３４ｂに対応するバスバーの第３端子部（図示せず）が、その一部をコネクタ部１４６ａの上部内周面に露出させるようにして配置されている。
【０１００】
本変形例の構成を採用した場合においても、上記実施形態の場合と同様の作用効果を得ることができる。
【０１０１】
また、本変形例の構成を採用することにより、前後方向の配置スペースが小さい場合であっても光源モジュール１１０を配置することが容易に可能となる。
【０１０２】
図７は、上記変形例に係る光源モジュール１１０を備えた車両用灯具１００を示す側断面図である。
【０１０３】
同図に示すように、この車両用灯具１００は、プロジェクタ型の灯具ユニットとして構成されている。
【０１０４】
すなわち、この車両用灯具１００は、投影レンズ１０２の後方に光源モジュール１１０が配置されるとともに、この光源モジュール１１０にリフレクタ１０４が取り付けられた構成となっている。
【０１０５】
投影レンズ１０２はレンズホルダ１０６に支持されており、このレンズホルダ１０６はベース部材１０８に支持されている。また、光源モジュール１１０もベース部材１０８に支持されている。
【０１０６】
リフレクタ１０４は、光源モジュール１１０の発光ダイオード２２を上方側から覆うように配置されており、この発光ダイオード２２からの出射光を投影レンズ１０２へ向けて反射させるようになっている。このリフレクタ１０４は、その下端面において光源モジュール１１０の上面に載置されている。
【０１０７】
このように車両用灯具１００として光源モジュール１１０を備えた構成を採用することにより、リフレクタ１０４を支持するための新たな部材が不要となり、これにより車両用灯具１００の部品点数を少なくすることができる。
【０１０８】
なお、車両用灯具１００の構成として、プロジェクタ型の灯具ユニット以外にも、パラボラ型の灯具ユニットや直射型の灯具ユニット等を採用することも可能である。
【０１０９】
上記実施形態およびその変形例において諸元として示した数値は一例にすぎず、これらを適宜異なる値に設定してもよいことはもちろんである。
【０１１０】
また、本願発明は、上記実施形態およびその変形例に記載された構成に限定されるものではなく、これ以外の種々の変更を加えた構成が採用可能である。
【符号の説明】
【０１１１】
１０、１１０  光源モジュール
２０  光源ユニット
２２  発光ダイオード（発光素子）
２２ａ  発光面
２４  光源支持基板
２４ａ  端子部
３０、１３０  給電アタッチメント
３２、３４、３６、３８、４０  バスバー
３２ａ  段下がり部
３４ａ  段下がり部（接地端子部）
３２ｂ、３４ｂ  第３端子部
３２ｃ、３４ｃ、３６ａ、３８ａ、４０ｂ  第２端子部
３４ｄ、４０ａ  第４端子部
３４ｅ、３６ｂ  第５端子部
３４ｆ、４６ｅ、５２ａ、７２ａ  ネジ挿通孔
３８ｂ、４０ｃ  第１端子部
４２、４４  押え片
４２ａ、４４ａ  突起部
４６、１４６  絶縁部材
４６ａ、１４６ａ  コネクタ部
４６ｂ、４６ｃ、４６ｄ  開口部
５０  ドライバユニット
５２  ユニット本体
５４Ａ、５４Ｂ、５４Ｃ、５４Ｄ、５４Ｅ  リード部
６２  抵抗
６４  サーミスタ
７０  ヒートシンク
７０ａ  放熱フィン
７０ｂ、７０ｃ、７０ｄ  ネジ穴
７０ｅ  段上がり部
７２  伝熱シート
７４、７６、７８  スクリュウ
１００  車両用灯具
１０２  投影レンズ
１０４  リフレクタ
１０６  レンズホルダ
１０８  ベース部材
【図１】
2016139514.tif 000003
【図２】
2016139514.tif 000004
【図３】
2016139514.tif 000005
【図４】
2016139514.tif 000006
【図５】
2016139514.tif 000007
【図６】
2016139514.tif 000008
【図７】
2016139514.tif 000009